(57)【要約】【課題】フリーサイズの筆記具ホルダーが冊子を開く際のじゃまにならず、筆記具を筆記具ホルダーから拭き取って開いた冊子の表面に段差が生じることがなく、筆記具で冊子へ書き込みやすい冊子カバーを提供する。【解決手段】一端がカバー本体の第１カバー部の表面側に固着され、他端がカバー本体の第２カバー部に穿設される細長スリットを挿通して第２カバー部の背面側に突出し、カバー本体の背表紙カバー部を跨ぐ帯状ホルダー片とカバー本体との間でフリーサイズの筆記具ホルダーを形成する。筆記具ホルダーは、冊子の背表紙を覆う背表紙カバー部側に形成するので、冊子を開く際のじゃまにならず、筆記具を保持しない際には帯状ホルダー片をカバー本体に沿って配置できるので、冊子カバーを載置して筆記具で書き込む際に冊子の頁ががたつかない。【選択図】図１
2019038120.tif 000002
【特許請求の範囲】
【請求項１】
太さの異なる筆記具を保持可能なフリーサイズの筆記具ホルダーが形成された冊子カバーであって、
冊子の背表紙を覆う背表紙カバー部と、前記背表紙カバー部の短手方向の一側に折り曲げ自在に連結され、前記冊子の表紙若しくは裏表紙の一方を覆う第１カバー部と、前記背表紙カバー部の短手方向の他側に折り曲げ自在に連結され、前記冊子の表紙若しくは裏表紙の他方を覆う第２カバー部とを有するカバー本体と、
一端が第１カバー部の表面側に固着され、他端が第２カバー部に穿設される細長スリットを挿通して第２カバー部の背面側に突出する帯状ホルダー片とを備え、
前記カバー本体と前記背表紙カバー部を跨ぐ前記帯状ホルダー片との間で、太さの異なる筆記具を保持可能なフリーサイズの筆記具ホルダーが形成されることを特徴とする冊子カバー。 
【請求項２】
前記帯状ホルダー片の第１カバー部の表面側に固着される一端から第２カバー部の背面側に突出する他端までの長さは、前記カバー本体との間で太さの異なる筆記具を保持可能とする充分な長さで、
前記帯状ホルダー片の他端に前記細長スリットより幅広の抜け止め片が固着されていることを特徴とする請求項１に記載の冊子カバー。
【請求項３】
第２カバー部の背面側に、第２カバー部が覆う前記冊子の表紙若しくは裏表紙の端部を差し込むポケット部が形成され、
前記ポケット部に前記抜け止め片が収容されることを特徴とする請求項２に記載の冊子カバー。
【請求項４】
前記帯状ホルダー片の表面は、前記背表紙カバー部と同色であることを特徴とする請求項１乃至請求項３のいずれか１項に記載の冊子カバー。
【請求項５】
冊子は、手帳であることを特徴とする請求項１乃至請求項４のいずれか１項に記載の冊子カバー。
【発明の詳細な説明】
【技術分野】
【０００１】
本発明は、書籍、ノート又は手帳等の冊子を覆う冊子カバーに関し、更に詳しくは、太さが異なる筆記具であっても保持可能なフリーサイズの筆記具ホルダーが形成された冊子カバーに関する。
【背景技術】
【０００２】
従来、ノートや手帳等の冊子を覆う冊子カバーに、冊子にメモを書き込む鉛筆やボールペンなどの筆記具を保持する筆記具ホルダーを形成した筆記具ホルダー付きの冊子カバーが提供されている。この冊子カバーに形成される筆記具ホルダーは、通常、標準的な太さの鉛筆やボールペンを保持する大きさに形成され、細いペンや太い多色ボールペン等の筆記具を保持できないことから、太さが異なるいずれの筆記具であっても冊子とともに保持することができるフリーサイズの筆記具ホルダーを形成した冊子カバーが特許文献１、特許文献２で提案されている。
【０００３】
特許文献１に記載の冊子カバー１００は、図８に示す様に、冊子１１０を覆うカバー本体１０１の左右の端部をそれぞれ背面側に折り返してポケット１０２ａ、１０２ｂとし、各ポケット１０２ａ、１０２ｂへ冊子１１０の表紙１１０ａと裏表紙１１０ｂを差し込んで、冊子１１０へ装着している。このうち、カバー本体１０１の裏表紙１１０ｂを覆う裏表紙カバー部１０１ｂは、裏表紙１１０ｂの横幅より充分に長く、背面側に折り返した際に裏表紙１１０ｂの側方に、筆記具１０５を保持する筒状の筆記具ホルダー１０３が形成される。
【０００４】
筆記具ホルダー１０３を構成する裏表紙カバー部１０１ｂの部分は、上方から切り欠かれ、切り欠かれた裏表紙カバー部１０１ｂの上辺に筆記具１０５のクリップ１０５ａを係止して筆記具１０５が筆記具ホルダー１０３に保持される。裏表紙カバー部１０１ｂには、背面側に折り返した裏表紙カバー部１０１ｂを挿通させるリング状の帯片１０６が取り付けられ、帯片１０６に挿通させる裏表紙カバー部１０１ｂの長さを調整することにより、筒状の筆記具ホルダー１０３の内径を調整可能なフリーサイズの筆記具ホルダー１０３とし、太さが異なるいずれの筆記具１０５であっても保持可能としている。
【０００５】
特許文献２に記載の冊子カバー２００は、冊子２１０の表面側を覆うカバー本体２０１の上辺と下辺の長さがそれぞれ冊子２１０の表紙から裏表紙にかけての横幅より長く、更に、上辺の長さが下辺より長い台形状の輪郭で形成されている。そのため、このカバー本体２０１を冊子２１０の表面側に取り付けると、図９に示す様に、冊子２１０の背表紙２１０ａと、その背表紙２１０ａを覆うカバー本体２０１の背表紙カバー部２０１ａとの間に、上方が開口し下方に向かって先細りする円錐状の筆記具ホルダー２０２が形成される。
【０００６】
筆記具ホルダー２０２の内径となる背表紙カバー部２０１ａと背表紙２１０ａとの間隔は、冊子２１０を閉じた状態で最短で、開くほど長くなるので、冊子２１０を開いて筆記具ホルダー２０２内に筆記具２０３を収容した後、冊子２１０を閉じることにより、筆記具ホルダー２０２に収容された筆記具２０３は背表紙カバー部２０１ａと背表紙２１０ａの間に挟持され、筆記具ホルダー２０２から脱落することなく保持される。
【０００７】
また、筆記具ホルダー２０２は、円錐状に形成されているので、太さの異なるいずれの筆記具２０３であっても、筆記具ホルダー２０２に収容して、背表紙カバー部２０１ａと背表紙２１０ａの間で挟持し保持することができる。
【先行技術文献】
【特許文献】
【０００８】
【特許文献１】特許５８１０３３７号公報
【特許文献２】特開２０１３−２２６７６４号公報
【発明の概要】
【発明が解決しようとする課題】
【０００９】
特許文献１に記載の冊子カバー１００は、裏表紙１１０ｂの側方に、筆記具１０５を保持する筒状の筆記具ホルダー１０３が形成されるので、筆記具ホルダー１０３付きの冊子カバー１００全体の横幅が広がり、美感を損なうばかりか、冊子１１０を閉じた状態で冊子１１０の小口を覆うように筆記具ホルダー１０３が配置されるので、冊子１１０を開きづらく、特に所望の頁を探して開く際に筆記具ホルダー１０３が干渉して開きづらい。
【００１０】
更に、筆記具ホルダー１０３は、筒状の周囲全体が可撓性のカバー本体１０１で形成されるので、わずかな外力で撓み、筆記具ホルダー１０３に保持される筆記具１０５が抜け出やすく、また、筆記具１０５を筆記具ホルダー１０３へ保持し若しくは筆記具ホルダー１０３から抜き取る際に、リング状の帯片１０６に挿通する裏表紙カバー部１０１ｂを引き出してしまい筒状とした筆記具ホルダー１０３の形状が崩れてしまうという問題があった。
【００１１】
また、特許文献２に記載の冊子カバー２００は、冊子１１０の小口側に筆記具ホルダー１０３が配置されることによる冊子を開きづらいという上述の課題を解決するものであるが、筆記具ホルダー２０２から筆記具２０３を抜き取って開いた冊子２１０の所定の頁に書き込む際に、筆記具ホルダー２０２を構成するカバー本体２０１の部分がだぶついて、平坦面に配置する冊子カバー２００の表面に段差が生じ、冊子２１０へ筆記しづらいという問題があった。
【００１２】
また、筆記具２０３が筆記具ホルダー２０２に収容されているか否かにかかわらず、冊子２１０の背表紙側に円錐袋状の筆記具ホルダー２０２が張り出しているので見栄えが悪く、また、細い筆記具２０３は、円錐袋状の筆記具ホルダー２０２の内奥に入り込むので、取り出しづらいという問題があった。
【００１３】
本発明は、このような従来の問題点を考慮してなされたものであり、筆記具ホルダーが冊子を開く際のじゃまにならず、筆記具を筆記具ホルダーから拭き取って開いた冊子の表面に段差が生じることがなく、筆記具で冊子へ書き込みやすい冊子カバーを提供することを目的とする。
【００１４】
また、フリーサイズの筆記具ホルダーを形成しても美感を損なわない冊子カバーを提供することを目的とする。
【課題を解決するための手段】
【００１５】
上述の目的を達成するため、請求項１に記載の冊子カバーは、太さの異なる筆記具を保持可能なフリーサイズの筆記具ホルダーが形成された冊子カバーであって、
冊子の背表紙を覆う背表紙カバー部と、背表紙カバー部の短手方向の一側に折り曲げ自在に連結され、冊子の表紙若しくは裏表紙の一方を覆う第１カバー部と、背表紙カバー部の短手方向の他側に折り曲げ自在に連結され、冊子の表紙若しくは裏表紙の他方を覆う第２カバー部とを有するカバー本体と、
一端が第１カバー部の表面側に固着され、他端が第２カバー部に穿設される細長スリットを挿通して第２カバー部の背面側に突出する帯状ホルダー片とを備え、
カバー本体と背表紙カバー部を跨ぐ帯状ホルダー片との間で、太さの異なる筆記具を保持可能なフリーサイズの筆記具ホルダーが形成されることを特徴とする。
【００１６】
細長スリットを挿通して第２カバー部の背面側に突出する帯状ホルダー片の長さを調整することにより、カバー本体と帯状ホルダー片との間に形成される筆記具ホルダーの大きさを、太さの異なる筆記具に応じて変化させることができる。
【００１７】
筆記具ホルダーは、冊子の背表紙側に形成されるので、冊子を開くじゃまにならず、また、筆記具ホルダーを構成するカバー本体の背面は、可撓性のカバー本体に比べて比較的硬質な背表紙で支持されるので、帯状ホルダー片の形状が変化しにくく、筆記具が不用意に抜け出ない。
【００１８】
筆記具を保持していない状態の筆記具ホルダーは、帯状ホルダー片がカバー本体の表面と背面に沿ってカバー本体に重ねて配置できるので、冊子カバー全体の美感を損なわず、また、冊子を開いた状態でカバー本体の平面側はほぼ平坦面に保たれる。
【００１９】
請求項２に記載の冊子カバーは、帯状ホルダー片の第１カバー部の表面側に固着される一端から第２カバー部の背面側に突出する他端までの長さは、カバー本体との間で太さの異なる筆記具を保持可能とする充分な長さで、帯状ホルダー片の他端に細長スリットより幅広の抜け止め片が固着されていることを特徴とする。
【００２０】
筆記具ホルダーに筆記具を保持し若しくは引き抜く際に、細長スリットから帯状ホルダー片が引き出される外力が加わっても、抜け止め片が細長スリットの周縁に当接して帯状ホルダー片の他端は、細長スリットから引き出されない。
【００２１】
請求項３に記載の冊子カバーは、第２カバー部の背面側に、第２カバー部が覆う冊子の表紙若しくは裏表紙の端部を差し込むポケット部が形成され、ポケット部に抜け止め片が収容されることを特徴とする。
【００２２】
抜け止め片は、第２カバー部が覆う冊子の表紙若しくは裏表紙の端部とともにポケット部に収容される。
【００２３】
請求項４に記載の冊子カバーは、帯状ホルダー片の表面は、背表紙カバー部と同色であることを特徴とする。
【００２４】
帯状ホルダー片の表面は、その周囲の背表紙カバー部と同色となる。
【００２５】
請求項５に記載の冊子カバーは、冊子は、手帳であることを特徴とする。
【００２６】
手帳に、異なる大きさの筆記具を保持できる。
【発明の効果】
【００２７】
請求項１の発明によれば、冊子を開くじゃまにならず、また、冊子カバーの美感を損なうことなく、冊子カバーにフリーサイズの筆記具ホルダーを形成できる。
【００２８】
また、筆記具ホルダーから筆記具を引き抜いて、開いた冊子を覆うカバー本体の表面はほぼ平坦面に保たれるので、冊子ががたつかずに筆記具で書き込みしやすい。
【００２９】
請求項２の発明によれば、帯状ホルダー片を細長スリットより抜け出て、筆記具ホルダーの形状が崩れて筆記具が脱落することがない。
【００３０】
また、抜け止め片は、第２カバー部の背面側で帯状ホルダー片の他端に固着されるので、美感を損なわずに帯状ホルダー片を細長スリットより抜け止めできる。
【００３１】
請求項３の発明によれば、抜け止め片は、ポケット部内で、第２カバー部及び冊子の表紙若しくは裏表紙の端部と一定の摩擦力で接するので、帯状ホルダー片が細長スリットを挿抜しにくく、筆記具を保持可能な大きさとした筆記具ホルダーの形状を維持し、筆記具を確実に保持できる。
【００３２】
また、抜け止め片は、ポケット部に収容されるので、冊子カバーの背面側に表れず、冊子カバー自体の美感も損なわない。
【００３３】
請求項４の発明によれば、帯状ホルダー片とその周囲の背表紙カバー部が同色となり、筆記具を除いた状態では、両者がほぼ同一面で連続するので、筆記具ホルダーを形成したことが目立たず、冊子カバー全体で統一させたデザインを損なわない。
【００３４】
請求項５の発明によれば、手帳の使い勝手を損なわずに、手帳へ記入する筆記具を手帳とともに携帯できる。
【図面の簡単な説明】
【００３５】
【図１】本願発明の一実施の形態に係る冊子カバー１に形成した筆記具ホルダー２から筆記具６０を抜き出す使用状態を示す斜視図である。
【図２】冊子カバー１に装着した手帳５０を閉じた状態を表面側からみた斜視図である。
【図３】冊子カバー１に装着した手帳５０を開いた状態を背面側からみた斜視図である。
【図４】冊子カバー１の正面図である。
【図５】冊子カバー１の背面図である。
【図６】図５のＡ−Ａ線断面図である。
【図７】冊子カバー１に手帳５０を装着した状態を図５のＡ−Ａ線の位置で切断した断面図である。
【図８】筆記具ホルダー１０３を形成した従来の冊子カバー１００の斜視図である。
【図９】筆記具ホルダー２０２を形成した従来の冊子カバー２００の斜視図である。
【発明を実施するための形態】
【００３６】
本発明の一実施の形態に係る冊子カバー１は、書籍やノート等の冊子のうち手帳５０の表面側と小口を覆い保護するため、手帳５０の表面側に装着され、手帳５０に書き込むボールペン等の筆記具６０を手帳５０とともに保持する筆記具ホルダー２が形成されている。以下、この冊子カバー１を、図４において図示する方向を上下、左右方向と、図示する面を表面と、背面を背面として、図１乃至図７を用いて説明する。
【００３７】
冊子カバー１は、開いた状態の手帳５０を囲う長方形の輪郭のカバー本体３を備え、カバー本体３は、手帳５０の背表紙５０ｂを覆う背表紙カバー部３ｂの左右両側に、表紙５０ａを覆う表紙カバー部３ａと、裏表紙５０ｃを覆う裏表紙カバー部３ｃとが一体に形成されている。カバー本体３は、手帳５０の開閉に沿って湾曲可能な材質であれば、種々の材料で形成できるが、ここでは、可撓性と防水性と所定の強度を有し、表面に所望の着色や装飾を施すことが可能な硬質塩化ビニルで形成している。
【００３８】
表紙カバー部３ａと裏表紙カバー部３ｃの背面には、図５に示すように、それぞれ表紙カバー部３ａと裏表紙カバー部３ｃの小口側の半面を袋状に覆い、背表紙カバー部３ｂ側に開口する一組のポケット部７ａ、７ｃが一体に形成され、図３、図７に示すように、このポケット部７ａ、７ｃへ表紙５０ａと裏表紙５０ｃの端部５１ａ、５１ｃを差し込むことにより、冊子カバー１が手帳５０の表面側に装着される。
【００３９】
図４に示すように、表紙カバー部３ａの表面に筆記具ホルダー２を構成する帯状ホルダー片４の基端４ａが固着され、裏表紙カバー部３ｃに帯状ホルダー片４の先端４ｂを表面側から背面側へ挿通させる細長スリット５が上下方向に沿って穿設されている。すなわち、ここでは、表紙カバー部３ａが帯状ホルダー片４の基端４ａを固着する第１カバー部と、裏表紙カバー部３ｃを細長スリット５を穿設する第２カバー部としているが、裏表紙カバー部３ｃを第１カバー部とし、裏表紙カバー部３ｃに基端４ａを固着した帯状ホルダー片４を表紙カバー部３ａに穿設する細長スリット５へ挿通させてもよい。
【００４０】
帯状ホルダー片４の基端４ａは、表紙カバー部３ａの表面に重ねて、高周波ウェルダーにより溶着し、表紙カバー部３ａに固着している。また、この高周波ウェルダーによる両者の接合強度を高めるため、両者の溶着部８には、ギザ目模様８ａが施されている。
【００４１】
帯状ホルダー片４も、カバー本体３と同様に湾曲可能な材質であれば、種々の材料で形成できるが、可撓性と防水性と所定の強度を有し、カバー本体３の表面と同色や同一の装飾を施すことが可能で、高周波ウェルダーによる加工が可能な熱可塑性樹脂であることから塩化ビニルが好適であり、カバー本体３より更に柔軟に屈曲する軟質塩化ビニルで形成している。
【００４２】
帯状ホルダー片４の外形は、上下方向の縦幅が細長スリット５より短く、基端４ａから先端４ｂの左右方向の横幅が、筆記具ホルダー２に保持することが可能な最も太い筆記具６０をカバー本体３との間に挟持した状態で、帯状ホルダー片４の先端４ｂが細長スリット５の背面側に位置する長さの長方形とするが、横幅は、この長さより長いものであってもよい。また、帯状ホルダー片４の表面は、カバー本体３の表面と同色であり、カバー本体３の表面に描かれている模様と同様の模様が帯状ホルダー片４の表面にも描かれている
【００４３】
細長スリット５は、帯状ホルダー片４の基端４ａが固着される表紙カバー部３ａの位置と背表紙カバー部３ｂについて左右対称となる裏表紙カバー部３ｃの位置に縦長に穿設されている。これにより、基端４ａが表紙カバー部３ａに固着された帯状ホルダー片４は、背表紙カバー部３ｂの表面側を跨いで裏表紙カバー部３ｃに穿設された細長スリット５を挿通し、裏表紙カバー部３ｃの背面に沿って突出する。尚、細長スリット５の右縁と左縁は、それぞれ挿通する帯状ホルダー片５から背面側と表面側の逆方向の力を受けるで、上下両端を丸孔５ａ、５ａに連通させて、裂け止めしている。
【００４４】
裏表紙カバー部３ｃの背面に沿って突出する帯状ホルダー片４の先端４ｂには、縦幅が細長スリット５より長く、ポケット部７ｃより短い矩形状の抜け止め片６が固着されている。抜け止め片６も高周波ウェルダーにより帯状ホルダー片４の先端４ｂに溶着するように、熱可塑性樹脂で形成され、同様に接合強度を高めるため、両者の溶着部９には、ギザ目模様９ａが施されている。
【００４５】
上述の帯状ホルダー片４の先端４ｂと抜け止め片６との溶着部９は、帯状ホルダー片４がバー本体３に沿って配置された状態で、裏表紙カバー部３ｃの背面側のポケット部７ｃ内に配置されるので、冊子カバー１の製造工程では、始めに高周波ウェルダーによって帯状ホルダー片４の先端４ｂに抜け止め片６を溶着しておき、抜け止め片６が固着された帯状ホルダー片４の基端４ａを、背面側から細長スリット５に挿通し、表面側に突出する帯状ホルダー片４の基端４ａと表紙カバー部３ａとを高周波ウェルダーにより溶着する。
【００４６】
以下、このように構成された冊子カバー１によれば、カバー本体３の表面側で背表紙カバー部３ｂを跨ぐ帯状ホルダー片４とカバー本体３の表面との間で、筆記具６０を保持する筆記具ホルダー２が形成される。筆記具６０を挿入して保持する筆記具ホルダー２の隙間（カバー本体３の表面と帯状ホルダー片４の背面との間隔）は、細長スリット５からカバー本体３の表面側に引き出される帯状ホルダー片４の長さにより調整されるので、筆記具ホルダー２は、太さの異なるいずれの筆記具６０であっても保持可能なフリーサイズの筆記具ホルダー２となる。
【００４７】
筆記具６０の太さに応じて筆記具ホルダー２の大きさを調整する方法としては、細長スリット５から長めに引き出した帯状ホルダー片４とカバー本体３との間に筆記具６０を挿通した後、カバー本体３と帯状ホルダー片４の間で筆記具６０が挟持されるまで、細長スリット５の背面側から帯状ホルダー片４を引っ張る第１の調整方法と、カバー本体３とカバー本体３の表面に沿って配置する帯状ホルダー片４との間に筆記具６０を挿入し、細長スリット５から帯状ホルダー片４を表面側に引き出しながら、カバー本体３と帯状ホルダー片４の間に筆記具６０を完全に挿入する第２の調整方法のいずれであってもよいが、第１の調整方法は、調整する毎に背面側に装着する手帳５０を除く必要があるので、通常は第２の調整方法で調整する。
【００４８】
いずれの調整方法であっても、帯状ホルダー片４の先端４ｂに固着する抜け止め片６は、ポケット７ｃ内で裏表紙５０ｃの端部５１ｃと裏表紙カバー部３ｃに挟持されて一定の静止摩擦力で位置決めされる（図７参照）ので、筆記具６０をカバー本体３との間で挟持して保持する帯状ホルダー片４は緩みにくい。尚、より確実に帯状ホルダー片４の緩み止めを行うためには、帯状ホルダー片４とカバー本体３にラチェット構造などの緩み止め手段を設けてもよい。また、更に帯状ホルダー片４に細長スリット５から引き出される方向の外力が不用意に働いても、抜け止め片６が細長スリット５の周縁に当接して、帯状ホルダー片４の先端４ｂが表面側に抜け出ることがない。
【００４９】
筆記具６０は、筆記具６０のクリップ６１を筆記具ホルダー２を構成する帯状ホルダー片４の上縁に係止することにより、確実に筆記具ホルダー２に保持される。ここで、筆記具ホルダー２は、帯状ホルダー片４の基端４ａが固着する表紙カバー部３ａの溶着部８から細長スリット５の間に形成されるので、筆記具６０は、使い勝手によりこの間の表紙カバー部３ａ、背表紙カバー部３ｂ、裏表紙カバー部３ｃのいずれかの表面側の所望の位置に挿入して保持できる（図１は、裏表紙カバー部３ｃの表面側に保持された筆記具６０を抜き出した状態を図示している）。
【００５０】
手帳５０の表紙５０ａの端部５１ａを冊子カバー１の左側のポケット７ａへ、裏表紙５０ｃの端部５１ｃを冊子カバー１の右側のポケット７ｃへそれぞれ収容し、手帳５０の表面側に冊子カバー１を装着すると、図３に示す様に、裏表紙カバー部３ｃの背面に沿った帯状ホルダー片４や抜け止め片６は、手帳５０の裏表紙５０ｃに隠れ、フリーサイズの筆記具ホルダー２とする構成が背面側に表れない。
【００５１】
また、手帳５０の表面側に冊子カバー１を装着するか否かにかかわらず、筆記具ホルダー２で筆記具６０を保持していない図２、図４に図示する状態では、筆記具ホルダー２を構成する帯状ホルダー片４を、カバー本体３の表面側で撓むことなく、カバー本体３の表面に沿って配置させることができる。カバー本体３の表面に沿って配置される帯状ホルダー片４の表面には、カバー本体３の表面と同色で同模様が施されているので、筆記具ホルダー２がカバー本体３の表面で目立つことがなく、冊子カバー１全体のデザインを損なわない。
【００５２】
冊子カバー１を装着した手帳５０の所定の頁を開く場合には、手帳５０の小口側に筆記具ホルダー２が配置されないので、筆記具ホルダー２にじゃまされず、所定の頁を開くことができる。
【００５３】
また、その頁に、筆記具ホルダー２から引き抜いた筆記具６０で書き込む場合には、開かれた手帳５０を覆う冊子カバー１の表面が、図７に示す様に、ほぼ平坦面に保たれるので、冊子カバー１を載置した手帳５０の紙面ががたつかずに筆記具６０で書き込みしやすい。
【００５４】
上述の実施の形態は、手帳５０の表面側に装着する冊子カバー１で説明したが、ノートや書籍などの冊子の表面側に装着する冊子カバーにも本発明を適用できる。
【００５５】
また、帯状ホルダー片４の基端４ａを高周波ウェルダーによってカバー本体３の表面に溶着して固着させたが、接着剤など他の方法で固着させてもよい。
【００５６】
更に、帯状ホルダー片４は、矩形状の形状で説明したが、細長スリット５を一定長さで挿抜可能であれば、他の輪郭形状であってよい。
【産業上の利用可能性】
【００５７】
本発明は、太さの異なる筆記具を保持可能なフリーサイズの筆記具ホルダーが形成された冊子カバーに適している。
【符号の説明】
【００５８】
１  冊子カバー
２  筆記具ホルダー
３  カバー本体
３ａ  表紙カバー部（第１カバー部）
３ｂ  背表紙カバー部
３ｃ  裏表紙カバー部（第２カバー部）
４  帯状ホルダー片
４ａ  基端
４ｂ  先端
５  細長スリット
６  抜け止め片
５０  冊子（手帳）
６０  筆記具
【図１】
2019038120.tif 000003
【図２】
2019038120.tif 000004
【図３】
2019038120.tif 000005
【図４】
2019038120.tif 000006
【図５】
2019038120.tif 000007
【図６】
2019038120.tif 000008
【図７】
2019038120.tif 000009
【図８】
2019038120.tif 000010
【図９】
2019038120.tif 000011